【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
圧力変動によりノズル開口を介して内部の液体を吐出する圧力室と、この圧力室に対応して配設され駆動端子を介して供給される駆動信号により変形して前記圧力室内の液体に圧力変動を生じさせる圧力発生素子を有するアクチュエータユニットとを一方向に並べて形成した列の２つの列で一つの組を形成するとともに、この組を少なくとも二組、前記一方向と直交する他の方向に並べて形成した液体噴射ヘッドにおいて、
前記駆動端子は、各組において圧力発生素子の２つの列の間の領域に配設する一方、
前記各列のアクチュエータユニットの駆動回路を搭載するとともに、各配線部材及び前記各駆動端子に接合する配線端子を介して前記駆動回路が出力する駆動信号を伝送するよう前記アクチュエータユニットの上方にこれを跨ぐように配設したフィルム状のフレキシブルケーブルを有し、
さらに前記フレキシブルケーブルの内側の端部には脚部を形成し、この脚部を介してアクチュエータユニットの表面に当接するとともに、前記フレキシブルケーブルの外側の端部は上方に跳ね上げることにより前記フレキシブルケーブルの下面とアクチュエータユニットの上面とが接触しないように構成したことを特徴とする液体噴射ヘッド。
【請求項２】
請求項１において、
前記フレキシブルケーブルの内側の端部に脚部を形成するとともに、外側の端部にも同様の脚部を形成し、これらの各脚部を介してアクチュエータユニットの表面に当接することにより前記フレキシブルケーブルの下面とアクチュエータユニットの上面とが接触しないように構成したことを特徴とする液体噴射ヘッド。
【請求項３】
圧力変動によりノズル開口を介して内部の液体を吐出する圧力室と、この圧力室に対応して配設され駆動端子を介して供給される駆動信号により変形して前記圧力室内の液体に圧力変動を生じさせる圧力発生素子を有するアクチュエータユニットとを一方向に並べて形成した列の２つの列で一つの組を形成するとともに、この組を少なくとも二組、前記一方向と直交する他の方向に並べて形成する液体噴射ヘッドの製造方法において、
前記各組において圧力発生素子の２つの列の間の領域に前記各駆動端子を配設する一方、
前記各列のアクチュエータユニットの駆動回路を搭載するとともに各配線部材及び各配線部材の先端に繋げた各配線端子を有するフレキシブルケーブルの前記各配線端子を各駆動端子に載置した状態で圧接して接合し、同時に前記フレキシブルケーブルの内側の端部
に形成したアクチュエータユニット側へ伸びる脚部の先端をアクチュエータユニットの表面に当接させ、さらに前記フレキシブルケーブルの外側の端部を上方に跳ね上げることにより前記フレキシブルケーブルの下面とアクチュエータユニットの上面とが接触しないようにしたことを特徴とする液体噴射ヘッドの製造方法。
【請求項４】
圧力変動によりノズル開口を介して内部の液体を吐出する圧力室と、この圧力室に対応して配設され駆動端子を介して供給される駆動信号により変形して前記圧力室内の液体に圧力変動を生じさせる圧力発生素子を有するアクチュエータユニットとを一方向に並べて形成した列の２つの列で一つの組を形成するとともに、この組を少なくとも二組、前記一方向と直交する他の方向に並べて形成する液体噴射ヘッドの製造方法において、
前記各組において圧力発生素子の２つの列の間の領域に前記各駆動端子を配設する一方、
前記各列のアクチュエータユニットの駆動回路を搭載するとともに各配線部材及び各配線部材の先端に繋げた各配線端子を有するフレキシブルケーブルの前記各配線端子を各駆動端子に載置した状態で圧接して接合し、同時に前記フレキシブルケーブルの内側の端部及び外側の端部に形成したアクチュエータユニット側へ伸びる両脚部の先端をアクチュエータユニットの表面に当接させることにより前記フレキシブルケーブルの下面とアクチュエータユニットの上面とが接触しないようにしたことを特徴とする液体噴射ヘッドの製造方法。
【請求項５】
請求項３又は４において、
前記脚部はフレキシブルケーブルの打ち抜き成形時に形成するようにしたことを特徴とする液体噴射ヘッドの製造方法。
【請求項６】
請求項３において、
前記フレキシブルケーブルの外側の端部の跳ね上げは、駆動端子に対する配線端子の圧接接合時に、前記端部を圧接方向と逆方向に持ち上げることにより行うことを特徴とする液体噴射ヘッドの製造方法。
【手続補正２】
【補正対象書類名】明細書
【補正対象項目名】０００９
【補正方法】変更
【補正の内容】
【０００９】
上記目的を達成する本発明の第１の態様は、
圧力変動によりノズル開口を介して内部の液体を吐出する圧力室と、この圧力室に対応して配設され駆動端子を介して供給される駆動信号により変形して前記圧力室内の液体に圧力変動を生じさせる圧力発生素子を有するアクチュエータユニットとを一方向に並べて形成した列の２つの列で一つの組を形成するとともに、この組を少なくとも二組、前記一方向と直交する他の方向に並べて形成した液体噴射ヘッドにおいて、
前記駆動端子は、各組において圧力発生素子の２つの列の間の領域に配設する一方、
前記各列のアクチュエータユニットの駆動回路を搭載するとともに、各配線部材及び前記各駆動端子に接合する配線端子を介して前記駆動回路が出力する駆動信号を伝送するよう前記アクチュエータユニットの上方にこれを跨ぐように配設したフィルム状のフレキシブルケーブルを有し、
さらに前記フレキシブルケーブルの内側の端部には脚部を形成し、この脚部を介してアクチュエータユニットの表面に当接するとともに、前記フレキシブルケーブルの外側の端部は上方に跳ね上げることにより前記フレキシブルケーブルの下面とアクチュエータユニットの上面とが接触しないように構成したことを特徴とする。
【手続補正３】
【補正対象書類名】明細書
【補正対象項目名】００１３
【補正方法】変更
【補正の内容】
【００１３】
本発明の第３の態様は、
圧力変動によりノズル開口を介して内部の液体を吐出する圧力室と、この圧力室に対応して配設され駆動端子を介して供給される駆動信号により変形して前記圧力室内の液体に圧力変動を生じさせる圧力発生素子を有するアクチュエータユニットとを一方向に並べて形成した列の２つの列で一つの組を形成するとともに、この組を少なくとも二組、前記一方向と直交する他の方向に並べて形成する液体噴射ヘッドの製造方法において、
前記各組において圧力発生素子の２つの列の間の領域に前記各駆動端子を配設する一方、
前記各列のアクチュエータユニットの駆動回路を搭載するとともに各配線部材及び各配線部材の先端に繋げた各配線端子を有するフレキシブルケーブルの前記各配線端子を各駆動端子に載置した状態で圧接して接合し、同時に前記フレキシブルケーブルの内側の端部
に形成したアクチュエータユニット側へ伸びる脚部の先端をアクチュエータユニットの表面に当接させ、さらに前記フレキシブルケーブルの外側の端部を上方に跳ね上げることにより前記フレキシブルケーブルの下面とアクチュエータユニットの上面とが接触しないようにしたことを特徴とする。
【手続補正４】
【補正対象書類名】明細書
【補正対象項目名】００１５
【補正方法】変更
【補正の内容】
【００１５】
本発明の第４の態様は、
圧力変動によりノズル開口を介して内部の液体を吐出する圧力室と、この圧力室に対応して配設され駆動端子を介して供給される駆動信号により変形して前記圧力室内の液体に圧力変動を生じさせる圧力発生素子を有するアクチュエータユニットとを一方向に並べて形成した列の２つの列で一つの組を形成するとともに、この組を少なくとも二組、前記一方向と直交する他の方向に並べて形成する液体噴射ヘッドの製造方法において、
前記各組において圧力発生素子の２つの列の間の領域に前記各駆動端子を配設する一方、
前記各列のアクチュエータユニットの駆動回路を搭載するとともに各配線部材及び各配線部材の先端に繋げた各配線端子を有するフレキシブルケーブルの前記各配線端子を各駆動端子に載置した状態で圧接して接合し、同時に前記フレキシブルケーブルの内側の端部及び外側の端部に形成したアクチュエータユニット側へ伸びる両脚部の先端をアクチュエータユニットの表面に当接させることにより前記フレキシブルケーブルの下面とアクチュエータユニットの上面とが接触しないようにしたことを特徴とする。